(57)【特許請求の範囲】
【請求項１】
望遠鏡支持アセンブリであって、
３つのサイドビームと３つの四角形エンドピースとにより構成される三角形フレームよりなる測光構造であって、前記エンドピースの各々は前記サイドビームのうち２つサイドビームの端部の間に接続され、前記サイドビームのうち２つのサイドビームにより形成される三角形の１つのコーナーを切り取り、前記エンドピースはそれぞれ頂部と、底部と、前記頂部及び前記底部の間に延在する対向する第１及び第２の主面と、前記頂部及び前記底部の間に、かつ前記第１及び第２の主面の間に延在する対向するサイドエッジとを含み、各サイドビームは、前記エンドピースのうちの第１のエンドピースのサイドエッジに第１端において接続され、前記エンドピースのうちの第２のエンドピースのサイドエッジに第２端において接続され、各エンドピースは、当該エンドピースの前記サイドエッジのうちの第１のサイドエッジにおいて前記サイドビームのうちの第１のサイドビームの端部に接続され、当該エンドピースの前記サイドエッジのうちの第２のサイドエッジにおいて前記サイドビームの第２のサイドビームの端部に接続される測光構造と、
副鏡アセンブリを支持する副鏡支柱であって、各副鏡支柱は複数の第１の支柱マウントの１つに接続され、各第１の支柱マウントは前記エンドピースの１つの頂部において前記測光構造にマウントされる、副鏡支柱と、
主鏡を支持する主鏡支柱であって、各主鏡支柱は複数の第２の支柱マウントの１つに接続され、各第２の支柱マウントは前記エンドピースの１つの底部において前記測光構造にマウントされる、主鏡支柱とを有する
望遠鏡支持アセンブリ。
【請求項２】
エンドピースの頂部はサイドビームの上側コーナーの上に延在する、
請求項１に記載の望遠鏡支持アセンブリ。
【請求項３】
サイドビームの下側コーナーは第２の支柱マウントの端部を受け入れるサイズの切り取りを含む、請求項１に記載の望遠鏡支持アセンブリ。
【請求項４】
各サイドビームの高さは、各サイドビームの中央領域で、各サイドビームの端部より小さい、請求項１に記載の望遠鏡支持アセンブリ。
【請求項５】
前記測光構造に結合されたすべての支柱は中心縦軸から同じ半径距離に接続される、請求項１に記載の望遠鏡支持アセンブリ。
【請求項６】
前記副鏡アセンブリは、副鏡支持部と、前記副鏡支持部により保持される副鏡と、前記副鏡及び前記副鏡支持部の上の熱シュラウドとを含む、
請求項１に記載の望遠鏡支持アセンブリ。
【請求項７】
前記第２の支柱マウントの各々は、主鏡支持部と、ベースに接続されたベース支柱と、一以上の計器のハウジングに接続された計器支柱とに接続される、請求項１に記載の望遠鏡支持アセンブリ。
【請求項８】
望遠鏡支持アセンブリを設けることであって、該望遠鏡支持アセンブリは、
３つのサイドビームと３つの四角形エンドピースとにより形成される三角形フレームよりなる測光構造を設けることであって、前記エンドピースの各々は前記サイドビームのうち２つのサイドビームの端部の間に接続され、前記サイドビームのうち２つのサイドビームにより形成される三角形の１つのコーナーを切り取り、前記エンドピースはそれぞれ頂部と、底部と、前記頂部及び前記底部の間に延在する対向する第１及び第２の主面と、前記頂部及び前記底部の間に、かつ前記第１及び第２の主面の間に延在する対向するサイドエッジとを含み、各サイドビームは、前記エンドピースのうちの第１のエンドピースのサイドエッジに第１端において接続され、前記エンドピースのうちの第２のエンドピースのサイドエッジに第２端において接続され、各エンドピースは、当該エンドピースの前記サイドエッジのうちの第１のサイドエッジにおいて前記サイドビームのうちの第１のサイドビームの端部に接続され、当該エンドピースの前記サイドエッジのうちの第２のサイドエッジにおいて前記サイドビームの第２のサイドビームの端部に接続される測光構造を有する、ことと、
副鏡アセンブリを支持する副鏡支柱を複数の第１の支柱マウントにそれぞれ接続することであって、各第１の支柱マウントは前記エンドピースの１つの頂部で前記測光構造にマウントされる、ことと、
主鏡を支持する主鏡支柱を複数の第２の支柱マウントにそれぞれ接続することであって、各第２の支柱マウントは前記エンドピースの１つの底部で前記測光構造にマウントされる、こととを含む、
方法。
【請求項９】
エンドピースの頂部はサイドビームの上側コーナーの上に延在する、
請求項８に記載の方法。
【請求項１０】
各サイドビームと各エンドピースは、補強せん断パネルを有する管状フレームにより形成される、請求項８に記載の方法。
【請求項１１】
各サイドビームの高さは、各サイドビームの中央領域で、各サイドビームの端部より小さい、請求項８に記載の方法。
【請求項１２】
測光構造に結合されたすべての支柱は中心縦軸から同じ半径距離に接続される、請求項８に記載の方法。
【請求項１３】
各エンドピースの頂部に副鏡集光機構をマウントすることであって、前記副鏡アセンブリは、副鏡支持部と、前記副鏡支持部により保持された副鏡と、前記副鏡を取り囲むバッフルと、前記副鏡と前記副鏡支持部との上の熱シュラウドとを含む、ことをさらに含む、
請求項８に記載の方法。
【請求項１４】
前記第２の支柱マウントの各々は、主鏡支持部と、ベースに接続されたベース支柱と、一以上の計器のハウジングに接続された計器支柱とに接続される、請求項８に記載の方法。
【請求項１５】
３つのサイドビームと３つの四角形エンドピースとにより形成される三角形フレームよりなる測光構造であって、前記エンドピースの各々は、前記サイドビームのうち２つのサイドビームの端部の間に接続され、前記サイドビームのうち２つのサイドビームにより形成される三角形の１つのコーナーを切り取り、前記エンドピースはそれぞれ頂部と、底部と、前記頂部及び前記底部の間に延在する対向する第１及び第２の主面と、前記頂部及び前記底部の間に、かつ前記第１及び第２の主面の間に延在する対向するサイドエッジとを含み、各サイドビームは、前記エンドピースのうちの第１のエンドピースのサイドエッジに第１端において接続され、前記エンドピースのうちの第２のエンドピースのサイドエッジに第２端において接続され、各エンドピースは、当該エンドピースの前記サイドエッジのうちの第１のサイドエッジにおいて前記サイドビームのうちの第１のサイドビームの端部に接続され、当該エンドピースの前記サイドエッジのうちの第２のサイドエッジにおいて前記サイドビームの第２のサイドビームの端部に接続される、測光構造と、
各々が前記エンドピースのうち１つのエンドピースの頂部にマウントされた第１の支柱マウントにマウントされた副鏡集光機構と、
前記副鏡集光機構にマウントされた副鏡支柱であって、副鏡支持部と、前記副鏡支持部により保持された副鏡と、前記副鏡を取り囲むバッフルと、前記副鏡及び前記副鏡支持部の上の熱シュラウドとを含む副鏡アセンブリを支持する、副鏡支柱と、
各々が前記エンドピースのうちの１つのエンドピースの底部にマウントされた第２の支柱マウントと、
各々が前記第２の支柱マウントのうち１つの第２の支柱マウントを主鏡支持部に接続する主鏡支柱と、
各々が前記第２の支柱マウントのうちの１つの第２の支柱マウントをベースに接続するベース支柱と、
各々が前記第２の支柱マウントのうちの１つの第２の支柱マウントを一以上の計器のハウジングに接続する計器支柱とを有する、
望遠鏡支持アセンブリ。
【請求項１６】
エンドピースの頂部はサイドビームの上側コーナーの上に延在する、
請求項１５に記載の望遠鏡支持アセンブリ。
【請求項１７】
各サイドビームと各エンドピースは、補強せん断パネルを有する管状フレームにより形成される、請求項１５に記載の望遠鏡支持アセンブリ。
【請求項１８】
各サイドビームの高さは、各サイドビームの中央領域で、各サイドパネルの端部より小さい、請求項１５に記載の望遠鏡支持アセンブリ。
【請求項１９】
前記測光構造に結合されたすべての支柱は中心縦軸から同じ半径距離に接続される、請求項１５に記載の望遠鏡支持アセンブリ。
【請求項２０】
前記ベースは六角形フレームである、請求項１５に記載の望遠鏡支持アセンブリ。
【発明の詳細な説明】
【技術分野】
【０００１】
本開示は、概して、宇宙望遠鏡のための改良された測光構造、より具体的には、より軽量かつより高剛性の測光構造に関する。
【背景技術】
【０００２】
宇宙望遠鏡の収集領域および分解能を高める努力は、より大きな開口サイズを必要とする。開口が大きくなると、軽量化および／または高剛性化などの望遠鏡の構造的特性の改善が必要となる。大開口（５０センチ以上）の光学望遠鏡は、視線のジッタを引き起こす振動に対して非常に敏感である。ジッタは、主として、光学素子およびセンサを支持する構造の構造的共振と結合した、モーメンタムホイール、作動中のソーラーアレイまたはアンテナ、またはクライオクーラーなどの振動外乱源の結果である。ジッタは、支持構造を強化して、周波数をオフセットすることによって、共振を外乱から分離することによって低減できることが多い。
【発明の概要】
【０００３】
三角形フレーム測光構造は、３つのサイドビームと、各々がそのサイドビームのうちの２つの間に接続された３つのエンドピースとを含む。各エンドピースの頂部と底部は、支持荷重に接続するように構成され、すべての支持荷重は１つのエンドピースの頂部または底部において測光構造に接続されている。エンドプレート頂部にマウントされた副鏡集光機構は、副鏡支柱のペアを支持する。エンドピース底部の支柱マウントは、主鏡支柱、ベース支柱及び計器支柱のペアに接続される。測光構造に接続されたすべての支持荷重は、測光構造のコーナーのみに接続され、中心縦軸から同じ半径距離に接続される。測光構造は、軽量であるが、大開口望遠鏡を支持する高い剛性を有する。
【０００４】
具体的な優位性を上記したが、様々な実施形態は上記の優位性のすべてまたは一部を含んでもよいし、全く含まなくてもよい。また、当業者には、下記の図面と説明を読めば、他の技術的利点も容易に明らかになるだろう。
【図面の簡単な説明】
【０００５】
本開示およびその利点のより完全な理解のために、添付の図面と併せて以下の説明を参照する。同じ参照番号は同様の部分を表す。
【０００６】
【図１】本開示の実施形態による大開口望遠鏡のための高剛性測光構造を含む望遠鏡支持アセンブリを示す図である。
【０００７】
【図２】図１の望遠鏡支持アセンブリ内の測光構造の斜視図である。
【０００８】
【図２Ａ】図１の測光構造の上面図である。
【０００９】
【図２Ｂ】図１、２および２Ａの測光構造からのサイドビームの側面図である。
【００１０】
【図２Ｂ】図１、２および２Ａの測光構造からのエンドピースの側面図である。
【００１１】
【図３】本開示の実施形態による大開口望遠鏡のための高剛性測光構造を含む代替的な望遠鏡支持アセンブリを示す図である。
【発明を実施するための形態】
【００１２】
当然のことながら、例示的な実施形態を図面に示し、以下に説明するが、本開示の原理は、現在知られているか否かにかかわらず、任意数の技術を使用して実施され得る。本開示は、図面に示され、以下に説明される例示的な実施形態および技術に決して限定されるべきではない。さらに、特に断らない限り、図面に描かれた物は必ずしも一定の縮尺で描かれていない。
【００１３】
測光構造（「後測光構造」と呼ばれることもある）は、衛星その他の宇宙望遠鏡の望遠鏡サブシステム内の支持系の一部である。支持系は、望遠鏡を担持する輸送手段（ｖｅｈｉｃｌｅ）の外面にマウントされ、測光構造を含み、望遠鏡の主鏡アセンブリ、副鏡アセンブリ、および１つ以上の計器アセンブリを支持する。一般的な機械的支持の概念は、剛性ベースと、測光構造とから構成され、主鏡アセンブリを支持し、何らかの構造によって宇宙船の外部に直接取り付けられている。補助鏡アセンブリおよび１つ以上の計器アセンブリはすべて、測光構造（ｍｅｔｅｒｉｎｇ  ｓｔｒｕｃｔｕｒｅ）によって支持される。
【００１４】
測光構造は、高画質画像を得るために、高い剛性、高い寸法安定性（例えば、低い熱膨張係数）、および最小限の望遠鏡開口部閉塞を必要とする。測光構造は、鏡系を輸送手段上に維持し、望遠鏡構成部品を十分な精度で定位置に保持して、適切なアライメントと集光を保証する必要がある。円筒形、樽形または六角形サンドイッチパネル構造が、以前に提案された宇宙望遠鏡システムのより大きな望遠鏡支持系内の測光構造に最も一般的に用いられている。
【００１５】
以下に説明する測光構造は、軽量構造で高い剛性を達成し、高周波数低振幅共振モードによる低ジッタをもたらす。低ジッタにより、モーメンタムホイールやクライオクーラーなど、望遠鏡に物理的に結合された外乱源から、より多くの振動を可能にする。計器は、計器サイズ、重量、または設計が異なっても変更する必要がない、構造的に効率的なインターフェースを介して支持されるので、開示の測光構造は、望遠鏡および計器のモジュール性を提供する。
【００１６】
図１は、本開示の実施形態による大開口望遠鏡のための高剛性測光構造を含む望遠鏡支持アセンブリを示す図である。図１に示すタイプの望遠鏡支持アセンブリは、一般的に、図１の副鏡アセンブリ１０１として示されている、副鏡および副鏡サポート上の熱シュラウド（ｔｈｅｒｍａｌ  ｓｈｒｏｕｄ）と、主鏡および副鏡の一方または両方を取り囲み、これらの鏡上の散乱光の入射を減少させるバッフルとを含む。副鏡支持支柱１０３は副鏡アセンブリ１０１を支持する。これは、熱シュラウド、副鏡および副鏡サポート、および任意的にバッフルを含む。副鏡支持支柱１０３は、直接的に、または図示の例ではマウント構造１０４を介して間接的に、測光構造１１２上の１つの荷重を形成する。図１の例では、測光構造１１２および関連する荷重は、概して例示を目的として描かれている。本実施形態では、好ましくは、図２および図２Ａないし図２Ｃに描かれた測光構造が、以下に説明するように荷重とともに使用される。副鏡支持支柱１０３は、移動可能な態様で測光構造１１２に接続されてもよい。図１の例では、例えば、アライメント駆動管（図示せず）などの副鏡集光機構が接続され、測光構造１１２の各エンドピースの頂部に取り付けられたマウント構造１０４を動かすことができる。
【００１７】
主鏡支持部１０７は、図１では、測光構造１１２に直接支持されているように示されているが、代替的に、主鏡支柱１０６が、主鏡支持部１０７を支持していてもよい。これは主鏡支持部の一部を形成する。しかし、図示の例では、主鏡支持部１０７上の主鏡リング停止部１０５は、主鏡支柱１０６への間接的接続によって支持され、測光構造１１２の各エンドピースの底部のマウント構造１０８に接続されている。また、ベース支柱１０９のペアが、測光構造１１２の各エンドピースの底部に接続され、反対端で、輸送手段の外部に固定されたベース（例えば、六角形のフレーム）１１０に接続される。計器支柱１１１は、測光構造１１２のエンドピースに直接的または間接的に接続され、主鏡および副鏡から反射された光が集光される検出器アレイを含む、またはそれに結合された１つ以上の計器（図１には図示せず）を支持する。
【００１８】
当業者には言うまでもないが、上述した主鏡支持部および副鏡支持部は、それぞれ主鏡および副鏡の構成にそれぞれ依存する大きさおよび形状を有する物理的構造である。
【００１９】
図２は、図１の望遠鏡支持アセンブリ１００内の測光構造１１２の斜視図であり、図２Ａは測光構造１１２の上面図であり、図２Ｂは測光構造のサイドビームの側面図であり、図２Ｃは測光構造１１２のエンドピースの側面図である。測光構造１１２は、図２Ａに示すように、概して三角形であり、３つのサイドビーム２０１、２０２、２０３と、３つのエンドピース２０４、２０５、２０６とにより構成される。三角形の一辺を形成するビーム２０１、２０２、２０３の各々は、約３インチの厚さと、約３対１の断面高さ対厚さのアスペクト比とを有する。薄い（約０．１インチ）のせん断パネルがビームに接着されている。３つのビーム２０１，２０２，２０３は、エンドピース２０４，２０５，２０６によって隅で接続され、３つのビーム２０１，２０２，２０３と同様の構造を有するタワー状のビームによって形成される。測光構造の荷重インターフェース、図１のマウント構造１０４および１０８、またはそのような構造体の一方または両方がない場合の直接的な接続部は、エンドピース２０４，２０５および２０６の頂部および底部にのみ存在する。各エンドピース２０４，２０５、２０６はサイドビーム２０１，２０２，２０３のうち２つの端部の間に接続され、エンドピース２０４はサイドビーム２０２と２０３の端部の間に接続され、エンドピース２０５はサイドビーム２０１と２０３の端部の間に接続され、エンドピース２０６はサイドビーム２０１と２０２の端部の間に接続される。図示された例では、エンドピース２０４，２０５および２０６は、サイドビーム２０１，２０２および２０３によって形成された三角形の角を横切って延在し、これらの角を切り取られている。
【００２０】
各サイドビーム２０１，２０２，２０３は、図２Ｂに示されるサイドビーム２０２の形状を有する。サイドビーム２０１，２０２，２０３の高さは（例えば、それぞれのサイドパネルの底部２０７に対して）、サイドビームの中央領域２０８では、サイドビームの端部２０９，２１０よりも小さい。より高いコーナーを有し異なる高さは、様々な支柱接続のためのマウント構造１０４，１０８の取り付けを容易にすることができる。図示の例では、サイドビーム２０１，２０２，２０３の頂部の部分は、中央領域２０８の高さから端部２０９，２１０の最大高さに向かって傾斜している。
【００２１】
各エンドピース２０４，２０５および２０６は、図２Ｃに示されるエンドピース２０５の構造を有する。各エンドピース２０４，２０５および２０６は、支持荷重を接続するように構成された頂部２１２および底部２１３を有するほぼ長方形である。図示された例では、エンドピース２０４，２０５および２０６の頂部２１２は、サイドビーム２０１，２０２および２０３の端部２０９，２１０の上側コーナーに延在する。この延長部は、マウント構造１０４の、エンドピース２０４，２０５および２０６の頂部２１２への接続を容易にする。あるいは、エンドピース２０４、２０５及び２０６の頂部２１２は、端部２０９、２１０の最高点と同じ高さであってもよく、これらの端部２０９、２１０の上側コーナーにマウント構造１０４を受け入れるノッチを有してもよい。同様に、エンドピース２０４、２０５及び２０６の底部２１３は、サイドビーム２０１、２０２及び２０３の底部２０７より低く延在し、マウント構造１０８の接続を容易にしてもよい。
【００２２】
図１に戻り、図２、２Ａないし２Ｃも参照して、測光構造１１２のエンドピース２０４、２０５及び２０６の頂部２１２と底部２１３は、望遠鏡支持アセンブリ中のすべての支持荷重を接続するように構成され、測光構造１１２に接続されるすべての支持荷重は、エンドピース２０４、２０５及び２０６の１つの頂部２１２か、エンドピース２０４，２０５及び２０６の１つの底部２１３のいずれかに接続される。この理由から、副鏡集光支柱は、エンドピース２０４，２０５および２０６のそれぞれの頂部２１２に直接的または間接的にマウントされることが好ましい。副鏡支柱はペアでマウントされ、上記の通り、副鏡支持部を含む副鏡アセンブリを支持する。副鏡は副鏡支持部などにより保持される。
【００２３】
マウント構造１０８は、好ましくは、エンドピース２０４、２０５及び２０６のそれぞれの底部２１３にマウントされる。各マウント構造１０８は、主鏡支持部１０７に接続された主鏡支柱１０６と、ベース１１０に接続されたベース支柱１０９のペアと、一以上の計器のハウジング（図示せず）に接続された計器支柱１１１とに接続される。マウント構造１０４、１０８から測光構造１１２にかかる支持荷重は、三角形の測光構造１１２のコーナーにあるエンドピース２０４、２０５及び２０６にのみかかる。これは、具体的には、ベース支柱１０９と計器支柱１１１のみならず、主鏡支柱１０６と副鏡支柱１０３を通ってかかる支持荷重を含む。以前の設計では、支持荷重（例えば、主鏡支持部に関連するもの）を測光構造のサイドビームの長さに沿った点に接続していたので、支持荷重は３つのコーナーで本開示の測光構造１１２に接続されているだけであり、測光構造１１２は三角形フレームであればよかった。本開示の測光構造１１２三角足の途中では荷重は支持されないので、曲げ荷重が無くなり、軽量でも高剛性を実現できる。
【００２４】
望遠鏡用の代替的な測光構造デザインは、大きな複合パネル構造を利用し、通常、上と下に表面板を有し、任意的にコアフィル（ｃｏｒｅ  ｆｉｌｌ）が充填されたサンドイッチパネルであり、及び／又は強度と剛性が必要なところにリブを有するカスタムデザインである。そのような代替的デザインでは、後方光学系または他の支持されたハードウェアが、測光構造にインターフェースされ、コーナー間の角間のスパンに沿って、測光構造の下側の様々な位置にある。大開口望遠鏡用の主鏡の支持部が、主鏡支持部上の３点を測光構造のスパンに沿った６点に接続する短い支柱を使用する場合、表面板によって囲まれた多数の内部パネルを有する非常に大きく重くかつ高価な複合構造が、通常、測光構造に必要である。さらに、主鏡支持支柱が、主鏡アセンブリと副鏡アセンブリの中心縦軸から適度な半径方向距離で測光構造に接続し、副鏡を支持する支柱が同じ測光構造に、主鏡支柱が接続される半径距離にまったく近くないより大きな半径で交わる場合、測光構造は、副鏡支柱と主鏡支柱との間で、非常に剛性的でなければならない。これはまた、測光構造が曲げ荷重に反作用し、ひいてはより大きな寸法を必要とし、測光構造を重くする。
【００２５】
本開示の測光構造１１２は、支持荷重への接続のため、垂直で四角形のエンドピースを利用する。その点において、主鏡支柱と副鏡支柱の接続は、中心縦軸から同じ半径方向距離にある。主鏡支柱と副鏡支柱は、マウント支柱及び後方光学系／計器支持支柱と共に測光構造上の共通のコーナー位置に来るので、測光構造にくるすべての主要荷重は、その構造の３つのコーナーに集まる。すなわち、全部で４セットの支柱（運動学的インターフェース）が単純な三角形の測光構造の３つのコーナーに接続される。これにより、測光構造自体は３点を接続する剛性三角形以外の何者でもなく、測光構造が他のどのインターフェース位置において剛性を有する実質的な必要性はない。
【００２６】
三角形のコーナー以外の場所では、本開示の測光構造１１２によって荷重が支持されないので、少なくとも三角形のサイドビームおよび任意的にエンドピースは、広い面積にわたるパネルである必要はなく、場合によっては内部トラスネットワークを備えた管状フレームによって実施されてもよい。望遠鏡の後方光学系は、３つのコーナーでのみ測光構造１１２とインターフェースする別個の構造で支持される。本開示の測光構造１１２はまた、モジュール性を実現し、測光構造が後方光学系の種類、設計、サイズまたは重量とは無関係である。
【００２７】
図３は、本開示の実施形態による大開口望遠鏡のための高剛性測光構造を含む代替的な望遠鏡支持アセンブリを示す図である。エンドピース２０４，２０５及び２０６は、図２Ａないし図２Ｃに示す背の高い長方形の形状を有する必要はない。図３に示す代替的デザインでは、三角形測光構造３１２のエンドピースは、サイドビーム間に接続された単なる端部取り付け具（ｅｎｄ  ｆｉｔｔｉｎｇｓ）であり、８つの支柱が（コーナーごとに）すべて、マウント構造３０４またはマウント構造３０８のこれら端部取り付け具の頂部または底部に取り付けられている。代替的なデザインでは、エンドピースは、三角形の測光構造３１２のコーナーに接続されたる単一のピースであり、サイドビームとほぼ同じ高さ（場合によっては僅かにわずかに高い）である。すなわち、代替的なデザインでは、測光構造３１２によって形成された三角形のコーナーは、図１および図２および図２Ａに示すように切り取られない。その代わりに、サイドビームは、実際の三角形を形成するのに十分に延長され、すべての副鏡支柱が他のすべての支柱のすべてと同じ点で、（端部フィッティングがエンドピースを構成する）コーナーで交差する。図１に示す形状を有するデザインよりも構造的により効率的であるが、測光構造１１２，３１２に利用可能なスペースは、図３の実施形態のようにサイドビームのそのような延長を可能にしないことがある。
【００２８】
本開示の範囲から逸脱することなく、上記の例示したシステム、装置及び方法に修正、追加、または削除をすることができる。例えば、システムおよび装置の構成要素は統合されていても、分離されていてもよい。さらに、本明細書で開示されるシステムおよび装置の動作は、より多くの、より少ない、または他の構成要素によって実行されてもよく、説明される方法は、より多くの、より少ない、または他のステップを含むことができる。また、ステップを任意の適切な順序で実行してもよい。本明細書では、「各」とは、セット（ｓｅｔ）の各要素、またはセットのサブセット（ｓｕｂｓｅｔ）の各要素を指す。
【００２９】
本出願における説明は、特定の要素、ステップ、または機能がクレーム範囲に含まれなければならない必須または重要な要素であることを暗示するものとして読まれるべきではない。さらに、これらの請求項のいずれも、「ｍｅａｎｓ  ｆｏｒ」または「ｓｔｅｐ  ｆｏｒ」という言葉に機能を特定する単一の句が続かない限り、添付の特許請求の範囲または特許請求の範囲に関して、３５ＵＳＣ§１１２（ｆ）を呼び出すことを意図していない。特許請求の範囲における「機構」、「モジュール」、「装置」、「ユニット」、「構成要素」、「要素」、「部材」、「装置」、「機械」、「システム」「プロセッサ」または「コントローラ」などの用語の使用は、特許請求の範囲自体の特徴によってさらに変更または改良され、当業者に知られている構造を指すと理解され、意図されており、３５Ｕ．Ｓ．Ｃ．§１１２（ｆ）を呼び出すことを意図するものではない。
【図１】
0006550529.tif 000002
【図２】
0006550529.tif 000003
【図２Ａ】
0006550529.tif 000004
【図２Ｂ】
0006550529.tif 000005
【図２Ｃ】
0006550529.tif 000006
【図３】
0006550529.tif 000007